(57)【要約】【目的】従来のものが筆記具にわざわざ香水や香料を含有した部材を設置する設計上の無駄や、筆記具に余分なスペースを設けなければならない不都合や、そのために生じるデザイン仕様の抑制などを解消可能とする。また、筆記時に芳香を効果的に放散可能とする。【構成】筆記具の軸筒に把持部として被覆されてなる熱可塑性エラストマー又はゴム等のグリップ部材に於いて、当該グリップ部材は、スポンジ状の無数の連続気孔を備えた多孔質部を有し、多孔質部の外周に通気を抑制するための被覆層が設けられ、その連続気孔に適量の香水が含浸されて、グリップ部材を掴んだときに意図して好きなときに芳香させることが可能となる。【選択図】　　　　　　図２
2004130643.tif 000002
【特許請求の範囲】
【請求項１】
筆記具の軸筒に把持部として被覆されてなる熱可塑性エラストマー又はゴム等のグリップ部材に於いて、当該グリップ部材は、スポンジ状の無数の連続気孔を備えた多孔質部を有し、その連続気孔に適量の香水が含浸されてなることを特徴とする筆記具のグリップ部材。
【請求項２】
多孔質部の外周に通気を抑制するための被覆層が設けられてなる請求項１に記載の筆記具のグリップ部材。
【請求項３】
多孔質部の外周及び内周に通気を抑制するための被覆層が設けられてなる請求項１に記載の筆記具のグリップ部材。
【請求項４】
多孔質部を密閉する状態で通気を抑制するための被覆層が設けられてなる請求項１に記載の筆記具のグリップ部材。
【発明の詳細な説明】
【０００１】
【発明が属する技術分野】
本発明は、筆記具の軸筒に被嵌されるグリップ部材に関する。
【０００２】
【従来の技術】
【特許文献１】実用新案登録公報第２５３７２７４号
【特許文献２】特開平１０−２９１３９６号
【特許文献３】特開平７−２９０８８９号
従来、筆記具では長時間筆記をする場合などに握り部が滑ったり、指が痛くなったりすることを解消するために把持部にゴムなどの軟質材料を被嵌した筆記具が知られている。また構造としては、硬質樹脂製の軸筒の凹部にシリコンゴムやＥＰＤＭ、ＮＢＲなどの軟質材を装着したり、凹部に熱可塑性エラストマーを２色成形で一体に形成したものがある。（特許文献１）
また、筆記用具に香水を封入し、香水のもたらす心理的な効果によって、事務や学習の効率を高めようとする目的で、ボールペン等の筆記用具の内部に精神を鼓舞したり、鎮静化したりするはたらきをもつ香水を封入し、ペンの使用時に香水を蒸発させようとするものがある。（特許文献２）
また、消しゴム、鉛筆、シャープペンシル、万年筆、ボールペン、サインペンなどの筆記用具、及び指輪、腕輪、ペンダントなどの身体装飾品からなる所持品に芳香、特に眠気を覚ます芳香、又は精神安定効果を奏する芳香を放散する付属物品を付着、又は組み込んでなることを特徴とするものが知られている。（特許文献３）
【０００３】
即ち、従来のものは、長時間筆記をする場合などに握り部が滑ったり、指が痛くなったりすることを解消するためだけのグリップであったり、精神的安定効果を目的として香水や香料を含有した部材を筆記具に搭載や貼着したものである。
【０００４】
【発明が解決しようとする課題】
本発明は、従来のものが筆記具にわざわざ香水や香料を含有した部材を設置する設計上の無駄や、筆記具に余分なスペースを設けなければならない不都合や、そのために生じるデザイン仕様の抑制などを解消可能とする。また、筆記時に芳香を効果的に放散可能とする。
【０００５】
【課題を解決するための手段】
本発明は、上記課題を達成する為に以下の構成を有する。
請求項１に記載の発明に係る筆記具のグリップ部材は、筆記具の軸筒に把持部として被覆されてなる熱可塑性エラストマー又はゴム等のグリップ部材に於いて、当該グリップ部材は、スポンジ状の無数の連続気孔を備えた多孔質部を有し、その連続気孔に適量の香水が含浸されてなることを特徴とする。
【０００６】
請求項２に記載の発明に係る筆記具のグリップ部材は、請求項１に記載の筆記具のグリップ部材に於いて、多孔質部の外周に通気を抑制するための被覆層が設けられてなり、筆記時に効果的に芳香を放散可能とする。
【０００７】
請求項３に記載の発明に係る筆記具のグリップ部材は、請求項１に記載の筆記具のグリップ部材に於いて、多孔質部の外周及び内周に通気を抑制するための被覆層が設けられてなり、筆記時に効果的に芳香を放散すると共に無駄な放散を防止可能とする。
【０００８】
請求項４に記載の発明に係る筆記具のグリップ部材は、請求項１に記載の筆記具のグリップ部材に於いて、多孔質部を密閉する状態で通気を抑制するための被覆層が設けられてなり、筆記時に効果的に放散すると共にさらに無駄な放散を防止可能とする。
【０００９】
【実施例】
本発明の実施例は、図１乃至図４に示されている。
図１は実施例１を示しており、軸筒本体１は、段部３の前方に適宜縮径した取付け部２が形成され、その前端に螺子部４が設けられている。
【００１０】
グリップ部材８は、熱可塑性エラストマーやシリコンゴム、ＮＢＲなどのゴム材料よって成形されている。また、グリップ部材８は、スポンジ状の無数の連続気孔を備えた多孔質部を有し、その連続気孔に適量の香水が含浸可能となされている。また、グリップ部材８の外形は単純な円筒状に限らず、曲面としたり、軸筒本体の形状にならって横断面形状が異形などにしたり自由である。
【００１１】
多孔質部の形成は、インキを含有してスタンプや朱肉等を必要としない浸透印の製法と同様な方法で成形される。すなわち、ゴム材料に固形状の溶質材を分散させた状態で成形し、成形後に溶質材を溶出させる方法やゴム材料に発泡剤を混入させて成形する方法で得られる。
また、２色成形で口先部と軸筒本体を一体とし、その凹部となった取付け部にグリップ部材を一体に成形することも可能であるが、通常は実施例のように構成される。
【００１２】
図２は実施例２を示しており、グリップ部材９は、多孔質部９ａの外周に被覆層として皮膜部９ｂが形成されてなる。皮膜部９ｂは、非吸液性であり、香水などは浸透不可であり、芳香などの通気は抑制される。また、必要に応じて皮膜部９ｂの所用箇所に多孔質部９ａにいたる孔が設けられる。
【００１３】
また、皮膜部９ｂは、基本的には多孔質部９ａの外周に密着性の良い材料が選択され、多孔質部の外周にコーティングや、薄いフィルム状のものを被覆、あるいは、２色成形で内層部の多孔質部と外層部の皮膜部で形成される。
【００１４】
図３は実施例３を示しており、グリップ部材１０は、多孔質部１０ａの外周に外皮部１０ｂが、内周に内皮部１０ｃが形成されてなる。被覆層としての外皮部と内皮部は、やはり非吸液性で、香水などは浸透不可であり、芳香などの通気は抑制される。また、必要に応じて外皮部１０ｂの所用箇所に多孔質部１０ａにいたる孔が設けられる。
【００１５】
また、外皮部と内皮部は、基本的には多孔質部９ａの外周に密着性の良い材料が選択され、多孔質部の外周にコーティングや、薄いフィルム状のものを被覆、あるいは、２色成形で内層部の多孔質部と外層部の皮膜部で形成される。
なお、グリップ部材１０は、シート状に形成され、取付け部２に丸めて溶着や接着で容易に固定することが可能である。
【００１６】
図４は実施例４を示しており、グリップ部材１１は、多孔質部１１ａを全周密閉する状態で被覆層として皮膜部１１ｂが形成されている。皮膜部１１ｂは、やはり非吸液性で、香水などは浸透不可であり、芳香などの通気は抑制される。
また、必要に応じて皮膜部１１ｂ外周の所用箇所に多孔質部１１ａにいたる孔が設けられる。なお、グリップ部材１１は、シート状に形成され、取付け部２に丸めて溶着や接着で容易に固定することが可能である。
【００１７】
【作用】
以上の構成によって、多孔質部に香水等を適宜含浸させ、筆記に際して、指でグリップ部材を掴んだときに含浸された香水がグリップ部材の表面まで誘導されて芳香を放散させることが可能となる。また、多孔質部の外周に被覆層を形成したものは、多孔質部に含浸された香水等が不用意に漏出するのを防止し、且つ、無駄に芳香するのを防止する。また、グリップ部材を強く掴んだときに、皮膜層から香水が噴霧状に放散されることによって意図して好きなときに芳香させることも可能となる。
【００１８】
【発明の効果】
本発明は、従来のものが筆記具にわざわざ香水や香料を含有した部材を設置する設計上の無駄や、筆記具に余分なスペースを設けなければならない不都合や、そのために生じるデザイン仕様の抑制などを解消可能とする。また、筆記時に芳香を効果的に放散可能とする。
【図面の簡単な説明】
【図１】本発明の実施例１であるグリップ部材が配設された筆記具の軸筒を示す断面図である。
【図２】本発明の実施例２であるグリップ部材が配設された筆記具の軸筒を示す断面図である。
【図３】本発明の実施例３であるグリップ部材が配設された筆記具の軸筒を示す断面図である。
【図４】本発明の実施例４であるグリップ部材が配設された筆記具の軸筒を示す断面図である。
【符号の説明】
１　　　　　軸筒本体
２　　　　　取付け部
３　　　　　段部
４　　　　　螺子部
５　　　　　口先部
６　　　　　段部
７　　　　　後端部
８　　　　　グリップ部材
９　　　　　グリップ部材
９ａ　　　　多孔質部
９ｂ　　　　皮膜部
１０　　　　グリップ部材
１０ａ　　　多孔質部
１０ｂ　　　外皮部
１０ｃ　　　内皮部
１１　　　　グリップ部材
１１ａ　　　多孔質部
１１ｂ　　　皮膜部
【図１】
2004130643.tif 000003
【図２】
2004130643.tif 000004
【図３】
2004130643.tif 000005
【図４】
2004130643.tif 000006